(57)【要約】【課題】着脱が容易であり耐久性が高い装身具を提供する。【解決手段】装身具は、弾性を有する材料で形成された環状の装身具であって、周方向Ｓ及び放射方向Ｈに直交する幅方向Ｗの幅寸法が広い幅広部１０と、この幅広部１０に比べて幅寸法が狭い幅狭部２０とが周方向Ｓに交互に連続しており、放射方向Ｈの厚さ寸法が幅広部１０よりも幅狭部２０が厚く形成されている。【選択図】図１
2016007301.tif 000002
【特許請求の範囲】
【請求項１】
弾性を有する材料で形成された環状の装身具であって、
周方向及び放射方向に直交する幅方向の幅寸法が広い幅広部と、この幅広部に比べて前記幅寸法が狭い幅狭部とが周方向に交互に連続しており、
放射方向の厚さ寸法が前記幅広部よりも前記幅狭部が厚く形成されていることを特徴とする装身具。
【請求項２】
前記幅狭部は前記幅広部よりも外周面が外側に突出していることを特徴とする請求項１記載の装身具。
【請求項３】
前記幅方向の両縁部は、前記幅方向の中心線に対して対称形状であり、連続する円弧形状の凹凸で形成されていることを特徴とする請求項１又は２記載の装身具。
【請求項４】
前記幅広部及び前記幅狭部の任意の個所における放射方向の断面積が略等しいことを特徴とする請求項１乃至３のいずれか１項記載の装身具。
【発明の詳細な説明】
【技術分野】
【０００１】
本発明は、装身具に関するものである。
【背景技術】
【０００２】
特許文献１は従来の装身具を開示している。この装身具は腕に着用されるブレスレットである。このブレスレットは環状である。また、このブレスレットは外周面に複数の凹部を形成している。凹部は周方向に等間隔に離れている。また、このブレスレットは内周面から放射方向に延びる切り込みを形成している。切り込みは隣り合う凹部の間に位置している。このブレスレットは、腕に着脱する際に、複数の切り込みが開いて伸ばすことができるため、着脱を容易に行うことができる。
【先行技術文献】
【特許文献】
【０００３】
【特許文献１】実開昭６３−２５０１３号公報
【発明の概要】
【発明が解決しようとする課題】
【０００４】
しかし、特許文献１のブレスレットは、伸ばした際に、切り込みの先端に応力が集中する。このため、このブレスレットは、腕への着脱を繰り返すことによって、切り込みの先端が裂けて、断裂するおそれがある。
【０００５】
本発明は上記従来の事情に鑑みてなされたものであって、着脱が容易であり耐久性が高い装身具を提供することを解決すべき課題としている。
【課題を解決するための手段】
【０００６】
本発明の装身具は、弾性を有する材料で形成された環状の装身具であって、
周方向及び放射方向に直交する幅方向の幅寸法が広い幅広部と、この幅広部に比べて前記幅寸法が狭い幅狭部とが周方向に交互に連続しており、
放射方向の厚さ寸法が前記幅広部よりも前記幅狭部が厚く形成されていることを特徴とする。
【０００７】
この装身具は、腕等に着脱するために延ばした際、厚さ寸法が幅広部よりも厚い幅狭部が主に弾性変形して延びる。このように、この装身具は、幅広部に比べて幅寸法が狭い幅狭部が延び、容易に伸ばすことができ、腕等に着脱し易い。また、幅狭部は、厚さ寸法が幅広部よりも厚くて伸縮性があり、伸ばした際の応力が分散するため、応力が集中せず、断裂し難い。
【０００８】
したがって、本発明の装身具は着脱が容易であって耐久性が高い。
【図面の簡単な説明】
【０００９】
【図１】実施例１の装身具を示す斜視図である。
【図２】実施例１の装身具を示す平面図である。
【図３】実施例１の装身具を示す正面図である。
【図４】図３の矢視Ｘ−Ｘ断面図である。
【図５】実施例１の装身具を示す断面図である。
【発明を実施するための形態】
【００１０】
本発明における好ましい実施の形態を説明する。
【００１１】
本発明の装身具において、前記幅狭部は前記幅広部よりも外周面が外側に突出し得る。この場合、厚さ寸法が薄い幅広部と厚さ寸法が厚い幅狭部とが周方向に交互に連続しても、内周面が周方向で凹凸にならず、腕等への装着感を良好にすることができる。
【００１２】
本発明の装身具において、前記幅方向の両縁部は、前記幅方向の中心線に対して対称形状であり、連続する円弧形状の凹凸で形成され得る。この場合、幅寸法が最も狭い部分の両縁部も円弧形状で形成されているため、装身具を伸ばした際に幅寸法が最も狭い部分の両縁部に応力が集中することを抑制し、亀裂の発生を抑制することができる。
【００１３】
本発明の装身具において、前記幅広部及び前記幅狭部の任意の個所における放射方向の断面積を略等しくし得る。この場合、装身具を伸ばした際に応力が全体に分散し、断裂しにくくすることができる。
【００１４】
次に、本発明の装身具を具体化した実施例１について、図面を参照しつつ説明する。
【００１５】
＜実施例１＞
実施例１の装身具は、図１〜図３に示すように、腕に着用するブレスレットである。このブレスレットは弾性を有するシリコンゴムで形成されている。このブレスレットは環状であり、内周面４０に囲まれた腕を挿通する開口部１の外形状が楕円形である。
【００１６】
このブレスレットは、周方向Ｓ及び放射方向Ｈに直交する幅方向Ｗの幅寸法が広い幅広部１０と、この幅広部１０に比べて幅寸法が狭い幅狭部２０とが夫々９個ずつ周方向Ｓに交互に連続している。このブレスレットは１個の幅広部１０の外周面にマークＭが印刷されている。
【００１７】
幅広部１０は幅方向Ｗの両縁部１１が外側に膨らんだ円弧形状の凸部で形成されている。幅狭部２０は幅方向Ｗの両縁部２１が内側に凹んだ円弧形状の凹部で形成されている。隣り合う幅広部１０と幅狭部２０とはそれぞれの幅方向Ｗの両縁部１１，２１が連続している。このように、このブレスレットは、幅方向Ｗの両縁部１１，２１が幅方向Ｗの中心線に対して対称形状であり、幅方向Ｗの両縁部１１，２１が連続する円弧形状の凹凸で形成されている。
【００１８】
このブレスレットは、図２及び図４に示すように、外周面３０が幅広部１０よりも幅狭部２０の方が外側に突出している。詳しくは、幅広部１０の外周面３０は周方向Ｓの中心が最も内側に凹んだ湾曲面で形成されており、幅狭部２０の外周面３０は周方向Ｓの中心が最も外側に突出した湾曲面で形成されている。隣り合う幅広部１０と幅狭部２０との外周面３０は連続しており、幅広部１０の周方向Ｓの中心から両側に連続した幅狭部２０の周方向Ｓの中心に向けて徐々に外側に突出するように傾斜している。このブレスレットは内周面４０が周方向Ｓで凹凸がなく形成されている。また、このブレスレットは内周面４０の幅方向Ｗの両端が外側に向けて僅かに湾曲している。
【００１９】
このブレスレットは、図２、図４、及び図５に示すように、幅広部１０の周方向Ｓの中心が最も厚さ寸法が薄く、幅狭部２０の周方向Ｓの中心が最も厚さ寸法が厚い。つまり、このブレスレットは放射方向Ｈの厚さ寸法が幅広部１０よりも幅狭部２０が厚く形成されている。また、このブレスレットは、図５に示すように、幅広部１０及び幅狭部２０の任意の箇所における放射方向Ｈの断面積（断面Ａの面積）が略等しく形成されている。つまり、このブレスレットは幅寸法が増加するに従って厚さ寸法が減少している。
【００２０】
このブレスレットは、腕等に着脱するために延ばした際、厚さ寸法が幅広部１０よりも厚い幅狭部２０が主に弾性変形して延びる。このように、このブレスレットは、幅広部１０に比べて幅寸法が狭い幅狭部２０が延び、容易に伸ばすことができ、腕等に着脱し易い。また、幅狭部２０は、厚さ寸法が幅広部１０よりも厚くて伸縮性があり、伸ばした際の応力が分散するため、応力が集中せず、断裂し難い。
【００２１】
したがって、実施例１のブレスレットは着脱が容易であって耐久性が高い。
【００２２】
また、このブレスレットは、外周面３０が幅広部１０よりも幅狭部２０の方が外側に突出し、内周面４０が周方向Ｓで凹凸がなく形成されている。このため、厚さ寸法が薄い幅広部１０と厚さ寸法が厚い幅狭部２０とが周方向Ｓに交互に連続しても、内周面４０が周方向Ｓで凹凸にならず、腕への装着感を良好にすることができる。
【００２３】
また、このブレスレットは、幅方向Ｗの両縁部１１，２１が幅方向Ｗの中心線に対して対称形状であり、幅方向Ｗの両縁部１１，２１が連続する円弧形状の凹凸で形成されているため、ブレスレットを伸ばした際に幅寸法が最も狭い部分の両縁部に応力が集中することを抑制し、亀裂の発生を抑制することができる。
【００２４】
また、このブレスレットは、幅広部１０及び幅狭部２０の任意の箇所における放射方向Ｈの断面積が略等しく形成されており、各断面Ａにおいて厚さ寸法が略一定であるため、ブレスレットを伸ばした際に応力が全体に分散し、断裂しにくくすることができる。
【００２５】
また、このブレスレットは、多機能携帯電話等の携帯端末機でブレスレットの形状、及び外周面に印刷されたマークＭを認識することによって、購入者の特典サイト等の所定のウェブサイトにアクセスすることができる。
【００２６】
本発明は上記記述及び図面によって説明した実施例１に限定されるものではなく、例えば次のような実施例も本発明の技術的範囲に含まれる。
（１）実施例１ではブレスレットであったが、他の環状の装身具であってもよい。
（２）実施例１では幅狭部が幅広部よりも外周面が外側に突出させることによって、幅狭部の厚さ寸法が幅広部よりも厚く形成したが、幅狭部が幅広部よりも内周面を内側に突出させることによって、幅狭部の厚さ寸法が幅広部よりも厚く形成してもよい。また、外周面を外側に突出させつつ、内周面を内側に突出させてもよい。
（３）実施例１では幅方向の両縁部が幅方向の中心線に対して対称形状であるが、対称形状でなくてもよい。
（４）実施例１では幅方向の両縁部が連続する円弧形状の凹凸で形成されているが、円弧形状でなくてもよい。
（５）実施例１ではブレスレットをシリコンゴムで形成しているが、弾性を有する材料であれば他の材料であってもよい。
（６）実施例１ではブレスレットの幅広部の外周面にマークが付されていたが、マークを付さなくてもよい。
（７）実施例１ではブレスレットの幅広部の外周面にマークが付されていたが、マークは他の形状の図形、文字等であってもよい。
【符号の説明】
【００２７】
Ｓ…周方向
Ｈ…放射方向
Ｗ…幅方向
１０…幅広部
１１…（幅広部の）両縁部
２０…幅狭部
２１…（幅狭部の）両縁部
３０…外周面
【図１】
2016007301.tif 000003
【図２】
2016007301.tif 000004
【図３】
2016007301.tif 000005
【図４】
2016007301.tif 000006
【図５】
2016007301.tif 000007